(57)【特許請求の範囲】
【請求項１】
縦長矩形状の裏シート５と該裏シート５よりも縦長で且つ同一幅の縦長矩形状の表シート４とを、これらのシート４，５の上端を揃えて重ね合わせるとともに、両シート４，５の下端縁を除く上端縁及び両端縁同士を融着することによって、下端部に開口部３を有する縦長矩形状の袋体本体１を形成すると共に裏シート５の下端部から下方に突出した表シート４の下端部によって上記開口部３を封鎖する内蓋部4aを形成し、さらに、この袋体本体１の上記表シート４の表面下部に、重合シート６をその下端縁を表シート４の下端縁よりも下方に突出した状態で、表シート４の全幅に亘って重ね合わせてこれらの表シート４と重合シート６の両側端部同士及び重合シート６の上端縁と表シート４とを融着するとともに、上記表シート４における内蓋部4aを形成している下端部の下端からやや上部を始点として重合シート６の一部を表シート４に逆Ｕ字状に融着９して表シート４の表面とこの融着部９で囲まれた重合シート６の裏面とにより下向きに開口した小袋部７を形成し、上記表シート４の下端から下方に突出した重合シート６の突出部分により袋体本体１と小袋部７の下向きに開口した開口部を同時に封鎖する蓋部８を形成し、袋体本体１の上端部に吊支部２を形成していることを特徴とする袋体。
【発明の詳細な説明】
【０００１】
【発明の属する技術分野】
本発明は、不織布などからなる換気扇フィルター等の偏平に折り畳まれたシート状物等の製品とこの製品に付属する付属品を一体的に収容して販売や輸送に供する袋体に関するものであり、詳しくは、製品と付属品を別々に収容し、かつ、取り出す時には同時に取り出しできるようにした袋体に関するものである。
【０００２】
【従来の技術】
従来、製品の販売や保管、輸送に使用される袋体としては、透明合成樹脂シートを熱融着などによって偏平な袋状に形成してなるものが知られており、この袋体に製品と各種付属品を一括収容して販売している。付属品の収容のやりかたとしては、製品と付属品を同時にひとつの袋体本体に収容する方法と、付属品を別の小さな袋体に予め入れておいて付属品を入れた袋体ごと製品を収容した袋体本体に同時に収容する方法とが採られている。
【０００３】
【発明が解決しようとする課題】
上記従来の袋体によると、前者のようにひとつの袋体に製品と付属品を同時に収容した場合には、付属品が製品の大きな袋体の中で散在して製品を傷つけたり、付属品が製品の取り出し時に散らばって紛失したり、製品に紛れて見つけ難くなるという問題があった。また、収容する製品が不織布などで形成した換気扇のフィルター材のように柔らかな素材である場合は、付属品によってフィルター材が傷ついて孔や傷を生じやすくなってしまうという問題があった。
【０００４】
また、後者の方法によれば付属品を別の袋体に入れておいて、この付属品を入れた袋体を製品の袋体本体に収納させるため、２種類の袋体を準備する必要がありコスト高になってしまうとともに、製品と付属品をそれぞれ袋体に収容して開口部を閉じる作業を行わねばならず作業手間がかかるものであった。
【０００５】
また、製品を使用する場合においても、付属品が収容されている袋体を取り出して開ける手間がかかるものであり、空になった袋体の残材も多くなってゴミなどの廃材を増やすことになってしまっていた。
【０００６】
本発明は、このような製品と付属品とを収容させる場合の袋体の問題点に鑑みてなされたものであり、製品と付属品を一体的に収容させることができ、しかも、製品の収容時における袋体開口部の封鎖時や、取り出し時における袋体開口部の開封時に、製品の収容袋と付属品の収容袋とを同時に封鎖や開封できるようにした製品と付属品の収容および取り出しが容易な袋体を提供することを目的とするものである。
【０００７】
【課題を解決するための手段】
上記目的を達成するために、本発明は、製品を収容する袋体本体に付属品を収容する小袋部を設けて、この袋体本体の開口部と小袋部の開口部とを同時に開封自在に形成した袋体を提供するものである。
【０００８】
すなわち、請求項１に係る発明は、縦長矩形状の裏シートと該裏シートよりも縦長で且つ同一幅の縦長矩形状の表シートとを、これらのシートの上端を揃えて重ね合わせるとともに、両シートの下端縁を除く上端縁及び両端縁同士を融着することによって、下端部に開口部を有する縦長矩形状の袋体本体を形成すると共に裏シートの下端部から下方に突出した表シートの下端部によって上記開口部を封鎖する内蓋部を形成し、さらに、この袋体本体の上記表シートの表面下部に、重合シートをその下端縁を表シートの下端縁よりも下方に突出した状態で、表シートの全幅に亘って重ね合わせてこれらの表シートと重合シートの両側端部同士及び重合シートの上端縁と表シートとを融着するとともに、上記表シートにおける内蓋部を形成している下端部の下端からやや上部を始点として重合シートの一部を表シートに逆Ｕ字状に融着して表シートの表面とこの融着部で囲まれた重合シートの裏面とにより下向きに開口した小袋部を形成し、上記表シートの下端から下方に突出した重合シートの突出部分により袋体本体と小袋部の下向きに開口した開口部を同時に封鎖する蓋部を形成し、袋体本体の上端部に吊支部を形成していることを特徴とする。
【０００９】
【作用】
従って、請求項１に記載の袋体によれば、袋体本体の開口部に小袋部を一体形成し、該小袋部の開口部と袋体本体の開口部とを同一方向に開口させているので、袋体本体に製品を収容する方向と付属品を小袋部に収容する方向が同一方向に形成されており、製品や付属品の収納作業が同一方向から容易に行えるものである。
【００１０】
加えて、上記袋体本体の開口端には、袋体本体と小袋部の開口部を同時に封鎖する蓋部が形成されているので、製品と付属品とを収容した後に袋体本体の開口部を閉じると自動的に小袋部の開口部が封鎖されて一度の封鎖作業で袋体本体と小袋部の開口部の封鎖が行えるようになる。また、逆に製品を取り出す時には、製品を収容させている袋体本体の開口部を開くと、同時に小袋部の開口部も開いて、製品の取り出しと同時に付属品の取り出しも行えるものである。
【００１１】
さらに、表シートの表面に重合シートをその下端部が該表シートの下端から下方に突出させた状態で重合一体化し、その突出部によって上記蓋部を形成する一方、表シートの表面と重合シートの裏面により下向き開口の上記小袋部を形成してなるので、袋体本体の表シート部を利用して小袋部を形成でき、袋体を構成させる材料を少なくして資源の有効活用が図れるものであり、安価にかつ少ない資源で袋体本体と小袋部を一体形成できるようになるものである。
【００１２】
又、表シートの表面下部に重合シートをその下端部が該表シートの下端から下方に突出させた状態にして重合し、その突出部によって上記蓋部を形成する一方、表シートの両端縁に重合シートの両端縁を融着するとともに上端縁を重合シートの幅方向に融着し、更に、表シートに重合シートの一部を逆Ｕ字状に融着して表シートの表面と逆Ｕ字状の融着部で囲まれた重合シートの裏面とにより下向き開口の上記小袋部を形成してなるので、付属品の大きさに合わせて小袋部の大きさを調節でき、更に小袋部内で付属品が散在するのが防止できる。
【００１３】
そして、上記袋体において、表シートの下端部を裏シートの下端部よりも下方に突出させ、該突出部によって内蓋部を形成すると、内蓋部は袋体本体と小袋部の開口部を蓋部と共となって二重に強固に封鎖しておくことができる。
【００１４】
更に、袋体本体の上端部に袋体を吊支可能な吊支部を形成しているので、小袋部に収容された付属品は袋体本体の下方位置に位置して重りの役割を果して、袋体を安定的に吊り下げ展示することが可能になる。また、袋体本体及び小袋部は下方を開口させているので、小さな付属品であっても吊り下げ時に重力によって下方の開口部側に偏るので、付属品取り出し時には、取り出し口である開口部を開くと小さな付属品であっても簡単に取り出すことができる。
【００１５】
【発明の実施の形態】
以下、本発明をその一実施例を示した図に従って説明する。図１、図２及び図３は、本発明の袋体を示すものであり、該袋体を構成する袋体本体１は、縦長矩形状の裏シート５と該裏シート５よりも縦長且つ同一幅の縦長矩形状の表シート４とを、これらのシート４，５の上端を揃えて重ね合わせるとともに、両シート４，５の下端縁を除く上端縁及び両端縁同士を融着することによって、下端部に開口部３を有する縦長矩形状の偏平袋体に形成されている。
【００１６】
この開口部３には、表シート４の下端部が裏シート５の下端部よりも下方に突出され、該突出部により内蓋部4aが形成されている。また、この袋体本体１の表シート４の表面下部には、重合シート６がその下端縁を表シート４の下端縁よりも下方に突出した状態で、表シート４の全幅に亘って重ね合わせられ、表シート４と重合シート６の両側端部同士及び重合シート６の上端縁と表シート４とが融着されている。更に、重合シート６の一部を表シート４に逆Ｕ字状に融着した融着部９が形成されており、具体的には、該融着部９は２本の平行した長さ方向に指向した熱融着条9a,9a とその上端部同士を連結する１本の幅方向に指向した熱融着条9bにより形成されている。なお、図１では熱融着条9bを設けているが、図２の様に幅方向の熱融着条9bを設けず、２本の長さ方向の融着条9a,9a を重合シート６の上端部に達せしめることにより逆Ｕ字状に融着した融着部９としてもよく、又図１では、表シート４の下端からやや上部を始点として長さ方向に熱融着条9a,9a を設けている。このようにして、表シート４の表面下部には、袋体本体１とは別に、表シート４の表面と重合シート６の逆Ｕ字状の融着部９で囲まれた重合シート６の裏面とよりなる小袋部７が形成されている。
【００１７】
なお、この表シート４、裏シート５及び重合シート６の材料はいかなるものであってもよく、例えば、二軸延伸ポリエチレン、二軸延伸ポリプロピレン、二軸延伸ポリエステル等の合成樹脂フィルム、紙、布等が挙げられるが、合成樹脂フィルムは熱融着といった簡便な方法を用いることができるので好ましく、更に重合シート６の厚さを表シート４の厚さよりも厚くしておくと、金属製でしかも鋭利な角を有することが多い付属品を収納する場合でも小袋部７が破損するおそれがないので好ましい。
【００１８】
そして、重合シート６のうち表シート４の下端から下方に突出した部分により蓋部８が形成され、この蓋部８の裏面には封鎖用の粘着材層13が設けてある。すなわち、袋体本体１の開口縁の表シート４側に形成された蓋部８を裏側に向かって上方に折り返すと封鎖用の粘着材層13の粘着力によって蓋部８が裏シート５に貼着されて袋体本体１の開口部３と小袋部７の開口部10が同時に封鎖される。この際、蓋部８の内側に設けられた内蓋部4aも蓋部８とともに袋体本体１及び小袋部７の開口部を同時に封鎖し、より強固に両開口部は封鎖される。なお、この粘着材層13には、開口部を封鎖する前は離型紙（図示せず）が設けられる。
【００１９】
又、袋体がフックなどに吊り下げて陳列、保管される場合には、吊支部２として、該フックが挿通可能な図１に示した円形の透孔の他、楕円形、矩形状、スリット状等の透孔を袋体本体１の上端部に形成してもよい。なお、図１では、吊支部２として透孔を示したが、別体として帯状体を用意し、帯状体と袋体本体１の上端縁とでフックが挿通可能な空隙を形成すべく、帯状体の両端部を袋体本体１の上端縁に固着して吊支部２を形成してもよい。
【００２０】
上記実施例では、重合シート６と表シート４との重合一体化を、重合シート６の下端縁を除いた全周縁を表シート４に融着させることにより行っているが、重合シート６の角部のみで融着させる等部分的な融着であってもよい。
【００２１】
次に、図４は上記袋体本体１に換気扇用フィルター11を収容させた場合の使用例を示すものである。袋体本体１には、不織布よりなる換気扇用フィルター11が折り畳み状態にして収容されてなる一方、小袋部７には、換気扇用フィルター11を換気扇に装着する際に用いられる磁石片12が収容されており、蓋部８及び内蓋部4aを裏側に折り曲げ、蓋部８の裏面に設けられた粘着材層13により蓋部８を裏シート５に貼付し、小袋部７の開口部10と袋体本体１の開口部３を同時に封鎖してある。
【００２２】
換気扇用フィルター11を袋体に収容する場合には、袋体本体１に換気扇用フィルター11を入れる一方、同方向から付属品である磁石片12を小袋部７に収容し、この袋体本体１の開口端に設けてある蓋部８を裏側へ折り曲げ、開口部を封鎖するだけで製品である換気扇用フィルター11と付属品である磁石片12を別々の袋部分に分離して収容することができるようになる。従って、収容時においても不織布などから形成された柔らかなフィルター材を付属品で傷つけることがない。
【００２３】
また、この換気扇用フィルター11を陳列台に陳列する場合には、袋体本体１の上端部に設けた吊支部２により、袋体１を陳列台のフックなどに吊り下げると、袋体下端部の小袋部７に収容した磁石片12が袋体全体の重りになって換気扇用フィルター11を垂直状態に保って展示することができるようになり、柔らかな換気扇用フィルター11に皺などを発生させないで展示しておくことができる。
【００２４】
さらに、換気扇用フィルター11を購入して使用する場合には、袋体の下端部の蓋部８を開放すると換気扇用フィルター11が収容されている袋体本体１と磁石片12が収容されている小袋部７が同時に開封され、換気扇用フィルター11と磁石片12が簡単に取り出せるものであり、しかも磁石片12は、換気扇用フィルター11が収容されている袋体本体１の開口部に配されて収容されているので取り出し容易であり探す手間もなく簡単に必要部品を袋体から取り出せるようになるものである。
【００２５】
【発明の効果】
以上述べた如く、請求項１に係る発明は、表シート及び裏シートからなる袋体本体の開口部に小袋部を一体形成し、該小袋部の開口部と袋体本体の開口部とを同一方向に開口させるととともに、袋体本体の開口端に袋体本体と小袋部の開口部を同時に封鎖する蓋部を形成してなる袋体であるので、製品を収容する袋体本体の開口部の開口方向と、付属品を収容する小袋部の開口部の開口方向と同一方向に形成されており、製品や付属品の袋体への収納作業が同一方向から容易且つ円滑に行うことが出来、かつ付属品を製品と分離した状態で収容させることができるので付属品が袋体の中で散在する心配がない。
【００２６】
そして、上記袋体本体と小袋部との開口部を同時に封鎖させるように形成されているので、製品と付属品とを収容した後に袋体本体の開口部を閉じると自動的に小袋部の開口部が封鎖されて一度の封鎖作業で袋体本体と小袋部の開口部の封鎖が行えるとともに、製品を取り出す時にも、袋体本体と小袋部の開口部を同時に開いて、製品と同時に付属品の取り出しが簡単に行えるという効果を有するものである。
【００２７】
また、表シートの表面に重合シートをその下端部が該表シートの下端から下方に突出させた状態で重合一体化し、その突出部によって上記蓋部を形成する一方、表シートの表面と重合シートの裏面により下向き開口の上記小袋部を形成してなる袋体であるので、袋体本体の表シート部を利用して小袋部を形成でき、袋体を構成させる材料を少なくして資源の有効活用が図れるものであり、安価にかつ少ない資源で袋体本体と小袋部を一体形成できるようになるものである。
【００２８】
更に、表シートの表面下部に重合シートをその下端部が該表シートの下端から下方に突出させた状態にして重合し、その突出部によって上記蓋部を形成する一方、表シートの両端縁に重合シートの両端縁を融着するとともに上端縁を重合シートの幅方向に融着し、更に、表シートに重合シートの一部を逆Ｕ字状に融着して表シートの表面と逆Ｕ字状の融着部で囲まれた重合シートの裏面とにより下向き開口の上記小袋部を形成してなる袋体であるので、付属品の大きさに合わせて小袋部の大きさを調節でき、更に小袋部内で付属品が散在するのが防止できる。
【００２９】
加えて、袋体本体の表シートが裏シートよりも下方に突出し、該突出部によって内蓋部を形成してなる袋体であるので、内蓋部は袋体本体と小袋部の開口部を蓋部と共となって二重に強固に封鎖しておくことができる。
【００３０】
最後に、袋体本体上端部に袋体を吊支可能な吊支部を形成してなる袋体であるので、小袋部に収容された付属品は袋体本体の下方位置に位置し重りの役割を果して、袋体を安定的に吊り下げ展示することが可能になる。また、袋体本体及び小袋部は下方を開口させているので、小さな付属品であっても吊り下げ時に重力によって下方の開口部側に偏るので、付属品取り出し時には、取り出し口である開口部を開くと小さな付属品であっても簡単に取り出すことができる。
【図面の簡単な説明】
【図１】  本発明の袋体の正面図、
【図２】  本発明の袋体の裏面側から見た斜視図、
【図３】  本発明の袋体の下端部における切欠き斜視図、
【図４】  本発明の袋体に換気扇用フィルターと磁石片を収容させた状態を説明する断面図。
【符号の説明】
１  袋体本体
２  吊支部
３  袋体本体の開口部
４  表シート
４ａ  内蓋部
５  裏シート
６  重合シート
７  小袋部
８  蓋部
９  融着部
９ａ  熱融着条
９ｂ  熱融着条
１０  小袋部の開口部
１１  換気扇用フィルター
１２  磁石片
１３  粘着材層
【図１】
0003830587.tif 000002
【図２】
0003830587.tif 000003
【図３】
0003830587.tif 000004
【図４】
0003830587.tif 000005